(57)【要約】【課題】  大入賞口内への余分な遊技球の入賞を防止可能な遊技機を提供する。【解決手段】  開閉扉３９の内側面の各入賞孔５５に対向する部分には、上端縁部側が広く、下端縁部側が狭い平面視略台形状で所定深さに形成される各案内溝部６１Ａ、６１Ｂ、６１Ｃが設けられている。また、各案内溝部６１Ａ〜６１Ｃの上端縁部側の各幅寸法は、開閉扉３９の左右幅寸法の約１／３の寸法にほぼ等しくなるように形成されている。また、各案内溝部６１Ａ〜６１Ｃの下端縁部側の各幅寸法は、各入賞孔５５の左右方向幅寸法よりも少し大きい幅寸法か、若しくは該各入賞孔５５の左右方向幅寸法にほぼ等しい幅寸法になるように形成されている。  【選択図】  図３
2005192893.tif 000002
【特許請求の範囲】
【請求項１】
遊技領域に設けられる大入賞口と、
前記大入賞口の開口部に設けられて上方に開口される扉構造を有する開閉扉と、
前記大入賞口の開口部内側に設けられる複数の入賞孔と、
前記入賞孔に入賞した遊技球を検出する検出手段と、
前記開閉扉の内側面に形成されて、該開閉扉が開口した場合に、前記内側面に乗った遊技球を対向する入賞孔へ案内するように形成される複数の案内溝部と、を備えたことを特徴とするパチンコ機。
【請求項２】
前記検出手段は、前記各入賞孔の流出側端面部に個別に設けられていることを特徴とする請求項１に記載の遊技機。
【請求項３】
前記案内溝部は、上方側が広く、下方側が狭くなって遊技球を対向する各入賞孔に案内するように形成されていることを特徴とする請求項１又は請求項２に記載の遊技機。
【請求項４】
前記大入賞口は、前記各入賞孔間に立設される所定高さの凸部材を有することを特徴とする請求項１乃至請求項３のいずれかに記載の遊技機。
【請求項５】
前記凸部材は、上面部が各入賞孔方向へ前下がり状になるように形成されていることを特徴とする請求項４に記載の遊技機。
【請求項６】
前記遊技領域には、大入賞口の上部に配設されて、前記開閉扉が上方に開口した場合に、遊技球を前記各案内溝部内に転動落下するように案内する複数の案内部材が設けられていることを特徴とする請求項１乃至請求項５のいずれかに記載の遊技機。
【請求項７】
前記案内部材は、大入賞口の上部に打設されている複数の釘を含むことを特徴とする請求項６に記載の遊技機。
【発明の詳細な説明】
【技術分野】
【０００１】
本発明は、特別遊技状態が発生した場合に、所定回数開放される開閉扉を有する大入賞口が設けられた遊技機に関し、特に、該大入賞口の左右幅方向の大型化に容易に対応することができる遊技機に関するものである。
【背景技術】
【０００２】
従来より、特別遊技状態が発生した場合に、所定回数開放される開閉扉を有する大入賞口が設けられた遊技機に関し種々提案されている。
例えば、遊技盤に配設された始動入賞口への遊技球の入賞に基づいて、複数種の図柄が変動表示される特別図柄表示装置を備え、予め定められた特定の図柄が前記特別図柄表示装置に停止表示されたときに、遊技盤に設けられた大入賞口の扉が所定の時間継続して開放状態となり、遊技者にとって有利な特別遊技状態が少なくとも一回は発生するパチンコ機において、前記大入賞口の扉の前面側には球噛み防止部材を有し、該球噛み防止部材の横幅を前記特別図柄表示装置の前面部に取付けられる装飾部材の横幅よりも小さくした構成のパチンコ機が提案されている（例えば、特許文献１参照。）。
【特許文献１】特開２００２−３３６５２５号公報（段落（００２１）〜（００３０）、図２）
【発明の開示】
【発明が解決しようとする課題】
【０００３】
しかしながら、従来の遊技機においては、入賞装置の大入賞口内に複数の入賞領域が形成されると共に、その複数の入賞領域に入賞した入賞玉を１ヵ所に集めて検出する入賞玉検出器が該入賞装置に設けられており、その入賞玉検出器による検出出力を遊技制御に用いている。このため、これらの複数の入賞領域に入賞した入賞玉を１ヵ所に集める分だけ入賞玉の検出遅れが生じてしまい、入賞球検出器によって一定個数検知後、開閉扉を閉じても該入賞検出器に検出されていない遊技球が該大入賞口内に入ってしまうという問題がある。また、大入賞口が左右幅方向に大型化した場合には、大入賞口内の通路が更に長くなり、より多くの遊技球が大入賞口内に入ってしまうという問題がある。
【０００４】
そこで、本発明は、上述した問題点を解決するためになされたものであり、大入賞口内に入る入賞球の個数を迅速に検出し、該大入賞口内への余分な遊技球の入賞を防止することが可能な遊技機を提供することを目的とする。
【課題を解決するための手段】
【０００５】
前記目的を達成するため請求項１に係る遊技機は、遊技領域に設けられる大入賞口と、前記大入賞口の開口部に設けられて上方に開口される扉構造を有する開閉扉と、前記大入賞口の内側に設けられる複数の入賞孔と、前記入賞孔に入賞した遊技球を検出する検出手段と、前記開閉扉の内側面に形成されて、該開閉扉が開口した場合に、前記内側面に乗った遊技球を対向する入賞孔へ案内するように形成される複数の案内溝部と、を備えたことを特徴とする。
【０００６】
このような特徴を有する請求項１に係る遊技機においては、遊技領域に設けられる大入賞口の開口部内側には複数の入賞孔が設けられている。また、大入賞口の開口部に設けられて上方に開口される扉構造を有する開閉扉の内側面には、この内側面に乗った遊技球を対向する入賞孔へ案内するように形成される複数の案内溝部が設けられ、該開閉扉が開口した場合に、この内側面の各案内溝部内に乗った遊技球は、該案内溝部に対向する入賞孔へ案内される。また、各入賞孔に入賞した遊技球は、検出手段を介して検出される。
【０００７】
また、請求項２に係る遊技機は、請求項１に記載の遊技機において、前記検出手段は、前記各入賞孔の流出側端面部に個別に設けられていることを特徴とする。
【０００８】
また、請求項３に係る遊技機は、請求項１又は請求項２に記載の遊技機において、前記案内溝部は、上方側が広く、下方側が狭くなって遊技球を対向する各入賞孔に案内するように形成されていることを特徴とする。
【０００９】
また、請求項４に係る遊技機は、請求項１乃至請求項３のいずれかに記載の遊技機において、前記大入賞口は、前記各入賞孔間に立設される所定高さの凸部材を有することを特徴とする。
【００１０】
また、請求項５に係る遊技機は、請求項４に記載の遊技機において、前記凸部材は、上面部が各入賞孔方向へ前下がり状になるように形成されていることを特徴とする。
【００１１】
また、請求項６に係る遊技機は、請求項１乃至請求項５のいずれかに記載の遊技機において、前記遊技領域には、大入賞口の上部に配設されて、前記開閉扉が上方に開口した場合に、遊技球を前記各案内溝部内に転動落下するように案内する複数の案内部材が設けられていることを特徴とする。
【００１２】
更に、請求項７に係る遊技機は、請求項６に記載の遊技機において、前記案内部材は、大入賞口の上部に打設されている複数の釘を含むことを特徴とする。
【発明の効果】
【００１３】
請求項１に係る遊技機では、大入賞口の開口部に設けられて上方に開口される扉構造を有する開閉扉の内側面には、この内側面に乗った遊技球を対向する入賞孔へ案内するように形成される複数の案内溝部が設けられている。これにより、大入賞口が左右方向に大型化しても、開閉扉上に転動落下した遊技球は、開閉扉上の落下位置から最も近い案内溝部に沿って転動し、該案内溝部に対向する入賞孔に案内されることから、遊技球の開閉扉上の落下位置から入賞孔までの距離を短くすることができ、該大入賞口に入賞した遊技球の検出手段による検出の迅速化を図ることができ、大入賞口内への余分な遊技球の入賞を防止することが可能となる。
【００１４】
また、請求項２に係る遊技機では、大入賞口内の各入賞孔に入賞した遊技球を検出する検出手段は、各入賞孔の流出側端面部に個別に設けられているため、該入賞孔への遊技球の入賞を更に迅速に検出することができ、開閉扉をより的確に閉鎖して該大入賞口内への余分な遊技球の入賞を防止することが可能となる。
【００１５】
また、請求項３に係る遊技機では、開閉扉の内側面に設けられた各案内溝部は、上方側が広く、下方側が狭くなって遊技球を対向する各入賞孔に案内するように形成されているため、該開閉扉上に転動落下した遊技球を各案内溝部に対向する入賞孔に案内でき、大入賞口が左右方向に大型化しても、大入賞口内の入賞孔の個数を少なくすることが可能となり、各入賞孔への入賞球を検出する検出手段を少なくでき、引いては製造コストの削減化を図ることができる。
【００１６】
また、請求項４に係る遊技機では、大入賞口内の各入賞孔間に所定高さの凸部材が立設されるため、案内溝部を落下した遊技球は、該凸部材によって各案内溝部に対向する入賞孔に確実に案内されて、迅速に入賞し、該大入賞口に入賞した遊技球の検出の更なる迅速化を図ることができ、該大入賞口内への余分な遊技球の入賞を確実に防止することが可能となる。
【００１７】
また、請求項５に係る遊技機では、凸部材は、上面部が各入賞孔方向へ前下がり状になるように形成されているため、凸部材に当たった遊技球は、該凸部材の上面部に沿って各入賞孔に案内されるため、該大入賞口に入賞した遊技球の検出の更なる迅速化を図ることができる。
【００１８】
また、請求項６に係る遊技機では、大入賞口の上部には、開閉扉が上方に開口した場合に、遊技球を開閉扉の内側面に形成された各案内溝部内に転動落下するように案内する複数の案内部材が設けられているため、大入賞口が左右方向に大型化しても、開閉扉が開放された場合に、転動落下する遊技球をより確実に各案内溝部内を経て大入賞口内の入賞孔に案内でき、該大入賞口に入賞した遊技球の検出の迅速化を図ることができ、大入賞口内への余分な遊技球の入賞を防止することが可能となる。
【００１９】
更に、請求項７に係る遊技機では、大入賞口の上部には、開閉扉が上方に開口した場合に、遊技球を開閉扉の内側面に形成された各案内溝部内に転動落下するように案内する複数の釘が打設されているため、大入賞口が左右方向に大型化しても、開閉扉が開放された場合に、転動落下する遊技球をより確実に各案内溝部内を経て大入賞口内の入賞孔に案内でき、該大入賞口に入賞した遊技球の検出の迅速化を図ることができ、大入賞口内への余分な遊技球の入賞を防止することが可能となる。
【発明を実施するための最良の形態】
【００２０】
以下、本発明に係る遊技機をパチンコ機について具体化した第１実施形態乃至第３実施形態を図面を参照して詳細に説明する。
【実施例１】
【００２１】
先ず、第１実施形態に係るパチンコ機の概略構成について図１及び図２に基づき説明する。
図１及び図２に示すように、第１実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００２２】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
【００２３】
また、この前面カバー部材４の下側には、公知の賞球払出装置（特開平１１−３０９２６５号公報等参照）を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された不図示の発射装置へ送られるよう構成されている。
【００２４】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００２５】
遊技領域１１のほぼ中央には、開口部が開設され、この開口部の前面側に特別図柄表示装置１８が配設されている。この特別図柄表示装置１８は、遊技盤２の前面側から取り付けられる装飾部材１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。
一方、特別図柄表示装置１８の左側にはゲート２３が配設されている。また、ゲート２３と特別図柄表示装置１８の間には通常の風車２５が設けられている。
【００２６】
また、特別図柄表示装置１８の直下には、始動口３１が配設されている。この始動口３１には、パチンコ球の入賞を検出する始動口スイッチ（不図示）が設けられ、パチンコ球の入賞を検出することで液晶表示器１９に表示されている特別図柄が変動する。そして、特別図柄が変動中に始動口３１に入賞した場合には、入賞個数が４個まで記憶されて変動確定回数として保留される。そして、この保留されているカウント値を表示する第１保留ＬＥＤ３４が、液晶表示器１９の右下に４個配置されている。
【００２７】
また、ゲート２３にはパチンコ球の通過を検出するゲートスイッチ（不図示）が備えられており、パチンコ球の通過を検出することで普通図柄表示部２０の普通図柄が変動する。そして、このゲート２３にパチンコ球が入って、普通図柄表示部２０の普通図柄が変動後、所定の表示態様で停止した場合（例えば、「１１」、「７７」のように揃った場合等）には、始動口３１の上部に設けられるチューリップ式役物３１Ａが所定時間（第１実施形態では、約１秒間）開かれ、この始動口３１にパチンコ球が入賞する確率が増加する。
また、普通図柄が変動中にゲート２３をパチンコ球が通過した場合には、通過個数が４個まで記憶されて変動確定回数として保留される。そして、この保留されているカウント値を表示する第２保留ＬＥＤ３５が、液晶表示器１９の右上に４個配置されている。
【００２８】
そして、始動口３１の下側には、横幅が広い上方に開口する開閉扉３９で前面部を覆われる大入賞口４０が形成された特別入賞装置４１が配設されている。また、この特別入賞装置４１の左右両側には、上方に開口する各入賞口４２、４３が前面側に突出して形成されると共に、各電飾ランプ４４が内蔵された各下側電飾部材４５が設けられている。また、各入賞口４２、４３は、遊技盤２裏面の不図示の賞球樋に連通され、この各入賞口４２、４３への入賞を検出する入賞口スイッチ（不図示）が設けられている。また、特別入賞装置４１の直下にはレール１２に沿ってアウト口４６が開設されている。
更に、レール１２に囲まれたこのような遊技領域１１には、前記各構成物とともに複数の釘が打設されてパチンコ球の複雑な流路が形成されている。また、大入賞口４０を覆う開閉扉３９の上部には、チューリップ式役物３１Ａの左右側面部と該大入賞口４０の上部に配設された各釘４８等によって、後述の該開閉扉３９の内側面に形成される３列の各案内溝部６１Ａ〜６１Ｃ（図３参照）にパチンコ球を案内する各案内流路４９Ａ〜４９Ｆが構成されている。ここで、各案内流路４９Ａ、４９Ｂは、左側の案内溝部６１Ａにパチンコ球を案内し、各案内流路４９Ｃ、４９Ｄは、中央の案内溝部６１Ｂにパチンコ球を案内し、各案内流路４９Ｅ、４９Ｆは、右側の案内溝部６１Ｃにパチンコ球を案内する。
【００２９】
次に、特別入賞装置４１の概略構成について図３及び図４に基づいて説明する。
図３及び図４に示すように、特別入賞装置４１は、遊技盤２の表面に取付けられる取付板５１と、該取付板５１の裏面にビス止め等により取付けられる入賞球誘導部材５２とから構成されている。この取付板５１の略中央部には、開閉扉３９が裏側から嵌め込まれる横長四角形の開口部５３が形成されている。また、この取付板５１の上端縁部及び下端縁部の両端角部には各取付孔５１Ａが形成されている。
また、入賞球誘導部材５２は、前側に開口される左右方向に長い略横細長箱体状の大入賞口４０が形成されている。また、この大入賞口４０の底面部には左右方向に３個の各入賞孔５５が穿設されている。また、各入賞孔５５の流出側端面部（図４中、下端面部）には、この各入賞孔５５への入賞をカウントする各カウントスイッチ５６が設けられている。また、この各カウントスイッチ５６の下側には、各入賞孔５５への入賞球を遊技盤２裏面の不図示の賞球樋に案内する各案内通路５７が形成されている。
【００３０】
また、大入賞口４０の背面部には、開閉扉３９を開閉するソレノイド５９が配設されている。また、開閉扉３９の長手方向の両端部には一対の支軸３９Ａが設けられ、取付板５１の開口部５３の両側に設けられた凹部内に軸支されている。これにより、開閉扉３９は、通常時には、各支軸３９Ａを中心に裏側方向に回転して、この開閉扉３９の裏面は、取付板５１の前面部に当接され、大入賞口４０が閉塞される。また、「大当たり」時等には、ソレノイド５９に通電することによって、開閉扉３９は各支軸３９Ａを中心に前面側に所定傾斜角度を有するように回動され、内側面を上方に向け、転動落下してくるパチンコ球を受け止めて大入賞口４０内に誘導する。
【００３１】
また、開閉扉３９の内側面には、図３に示すように、各入賞孔５５に対向する部分に、上端縁部側が広く、下端縁部側が狭い平面視略台形状で所定深さ（第１実施形態では、深さ寸法は約３ｍｍ〜６ｍｍである。）に形成される各案内溝部６１Ａ、６１Ｂ、６１Ｃが設けられている。また、各案内溝部６１Ａ〜６１Ｃの上端縁部側の各幅寸法は、開閉扉３９の左右幅寸法の約１／３の寸法にほぼ等しくなるように形成されている。また、各案内溝部６１Ａ〜６１Ｃの下端縁部側の各幅寸法は、各入賞孔５５の左右方向幅寸法よりも少し大きい幅寸法か、若しくは該各入賞孔５５の左右方向幅寸法にほぼ等しい幅寸法になるように形成されている。これにより、開閉扉３９の開放時に、各案内流路４９Ａ〜４９Ｆを転動落下して該開閉扉３９の上端部に落下したパチンコ球は、各案内溝部６１Ａ〜６１Ｃのいずれかに落下するため、該各案内溝部６１Ａ〜６１Ｃ上を転動落下して、各案内溝部６１Ａ〜６１に対向する各入賞孔５５、即ち最も近い入賞孔５５に確実に誘導されて落下する。
【００３２】
ここで、各カウントスイッチ５６は、検出手段として機能する。また、チューリップ式役物３１Ａの側面部及び大入賞口４０の上部に打設される複数の各釘４８は、案内部材を構成する。
【００３３】
従って、第１実施形態に係るパチンコ機１では、特別入賞装置４１の大入賞口４０の開口部に設けられて上方に開口される扉構造を有する開閉扉３９の内側面には、この内側面に乗ったパチンコ球を対向する各入賞孔５５へ案内するように形成される３列の各案内溝部６１Ａ〜６１Ｃが設けられている。これにより、大入賞口４０が左右方向に大型化して、該大入賞口４０の内側に３個の各入賞孔５５が設けられても、開閉扉３９上に転動落下したパチンコ球は、それぞれ各案内溝部６１Ａ〜６１Ｃに沿って転動し、該各案内溝部６１Ａ〜６１Ｃに対向する各入賞孔５５に案内されることから、パチンコ球の開閉扉３９上の落下位置から各入賞孔５５までの距離を短くすることができ、該大入賞口４０に入賞したパチンコ球の各カウントスイッチ５６による検出の迅速化を図ることができ、大入賞口４０内への余分な遊技球の入賞を防止することが可能となる。
また、大入賞口４０内の各入賞孔５５に入賞したパチンコ球を検出する各カウントスイッチ５６は、各入賞孔５５の流出側端面部に個別に設けられているため、該入賞孔５５へのパチンコ球の入賞を更に迅速に検出することができ、開閉扉３９をより的確に閉鎖して該大入賞口４０内への余分な遊技球の入賞を防止することが可能となる。
【００３４】
また、開閉扉３９の内側面に設けられた各案内溝部６１Ａ〜６１Ｃは、上方側が広く、下方側が狭くなってパチンコ球を対向する各入賞孔５５に案内するように形成されているため、該開閉扉３９上に転動落下したパチンコ球を該各案内溝部６１Ａ〜６１Ｃに対向する各入賞孔５５に案内でき、大入賞口４０が左右方向に大型化しても、該大入賞口４０内の入賞孔５５の個数を少なくすることが可能となり、各入賞孔５５への入賞球を検出するカウントスイッチ５６の個数を少なくでき、引いては製造コストの削減化を図ることができる。
更に、大入賞口４０の上部には、開閉扉３９が上方に開口した場合に、パチンコ球を開閉扉３９の内側面に形成された各案内溝部６１Ａ〜６１Ｃ内に転動落下するように、チューリップ式役物３１Ａ及び大入賞口４０の上部に打設される複数の各釘４８が設けられているため（図２中、パチンコ球は各案内流路４９Ａ〜４９Ｆに沿って転動落下する。）、大入賞口４０が左右方向に大型化しても、開閉扉３９が開放された場合に、転動落下するパチンコ球をより確実に各案内溝部６１Ａ〜６１Ｃ上を経て大入賞口４０内の各入賞孔５５に案内でき、該大入賞口４０に入賞したパチンコ球の検出の迅速化を図ることができ、大入賞口４０内への余分なパチンコ球の入賞を防止することが可能となる。
【実施例２】
【００３５】
次に、第２実施形態に係るパチンコ機について図５及び図６に基づいて説明する。尚、以下の説明において上記図１乃至図４の第１実施形態に係るパチンコ機１の構成等と同一符号は、該第１実施形態に係るパチンコ機１等の構成等と同一あるいは相当部分を示すものである。
第２実施形態に係るパチンコ機の概略構成及び制御回路構成は、第１実施形態に係るパチンコ機１とほぼ同じ構成である。また、各種制御処理も第１実施形態に係るパチンコ機１とほぼ同じ制御処理である。
但し、第２実施形態に係るパチンコ機は、特別入賞装置の構成が、上記第１実施形態のパチンコ機１に係る特別入賞装置４１と異なっている。
【００３６】
ここで、第２実施形態に係るパチンコ機の特別入賞装置について図５及ぶ図６に基づいて説明する。
図５に示すように、第２実施形態に係るパチンコ機の特別入賞装置７１は、上記第１実施形態に係るパチンコ機１の特別入賞装置４１とほぼ同じ構成であるが、上記開閉扉３９に替えて開閉扉７２が設けられている。
この開閉扉７２は、上記開閉扉３９とほぼ同じ構成であるが、内側面の各入賞孔５５間に対向する部分及び左右両側端縁部には、断面が外側方向（図５中、上側方向）に突出する略三角形の三角錐状の各案内リブ部７５、７６、７７、７８が該開閉扉７２の上下幅方向に設けられている。また、この各案内リブ部７５〜７８の頂点は、開閉扉７２の内側面の上端縁部に形成され、開閉扉７２の左右両端縁部に設けられる各案内リブ部７５、７８の各頂点は、該開閉扉７２の内側面の左右上端角部に設けられると共に、各案内リブ部７６、７７の各頂点は、該開閉扉７２の左右幅寸法を約三等分するように該開閉扉７２の内側面の上端縁部に形成されている。また、各案内リブ部７５〜７８の各底面部は、開閉扉７２の内側面の下端縁部に形成されている。また、この各案内リブ部７５〜７８の各底面部の外側方向（図５中、上側方向）高さ寸法は、約３ｍｍ〜６ｍｍに形成されている。
【００３７】
また、図６に示すように、各案内リブ部７５〜７８によって、各入賞孔５５に対向する部分には、上端縁部側が広く、下端縁部側が狭い平面視略台形状の各案内溝部８１Ａ、８１Ｂ、８１Ｃが設けられている。また、各案内溝部８１Ａ〜８１Ｃの下端縁部側の各幅寸法は、各入賞孔５５の左右方向幅寸法よりも少し大きい幅寸法か、若しくは該各入賞孔５５の左右方向幅寸法にほぼ等しい幅寸法になるように形成されている。これにより、開閉扉７２の開放時に、各案内流路４９Ａ〜４９Ｆを転動落下して該開閉扉７２の上端部に落下したパチンコ球は、各案内溝部８１Ａ〜８１Ｃのいずれかに落下するため、該各案内溝部８１Ａ〜８１Ｃ上を転動落下して、各案内溝部８１Ａ〜８１に対向する各入賞孔５５、即ち最も近い入賞孔５５に確実に誘導されて落下する。
【００３８】
ここで、各カウントスイッチ５６は、検出手段として機能する。また、チューリップ式役物３１Ａの側面部及び大入賞口４０の上部に打設される複数の各釘４８は、案内部材を構成する。
【００３９】
従って、第２実施形態に係るパチンコ機では、特別入賞装置７１の大入賞口４０の開口部に設けられて上方に開口される扉構造を有する開閉扉７２の内側面には、各案内リブ部７５〜７８によって、この内側面に乗ったパチンコ球を対向する各入賞孔５５へ案内するように形成される３列の各案内溝部８１Ａ〜８１Ｃが設けられている。これにより、大入賞口４０が左右方向に大型化して、該大入賞口４０の内側に３個の各入賞孔５５が設けられても、開閉扉７２上に転動落下したパチンコ球は、それぞれ各案内溝部８１Ａ〜８１Ｃに沿って転動し、該各案内溝部８１Ａ〜８１Ｃに対向する各入賞孔５５に案内されることから、パチンコ球の開閉扉７２上の落下位置から各入賞孔５５までの距離を短くすることができ、該大入賞口４０に入賞したパチンコ球の各カウントスイッチ５６による検出の迅速化を図ることができ、大入賞口４０内への余分な遊技球の入賞を防止することが可能となる。
また、大入賞口４０内の各入賞孔５５に入賞したパチンコ球を検出する各カウントスイッチ５６は、各入賞孔５５の流出側端面部に個別に設けられているため、該入賞孔５５へのパチンコ球の入賞を更に迅速に検出することができ、開閉扉７２をより的確に閉鎖して該大入賞口４０内への余分な遊技球の入賞を防止することが可能となる。
【００４０】
また、開閉扉７２の内側面に設けられた各案内溝部８１Ａ〜８１Ｃは、上方側が広く、下方側が狭くなると共に、各案内溝部８１Ａ〜８１Ｃの各側面部が内側方向に前下がり状に形成されて、パチンコ球を対向する各入賞孔５５の中心部へ案内するように構成されているため、該開閉扉７２上に転動落下したパチンコ球を該各案内溝部８１Ａ〜８１Ｃに対向する各入賞孔５５に確実に案内でき、大入賞口４０が左右方向に大型化しても、該大入賞口４０内の入賞孔５５の個数を少なくすることが可能となり、各入賞孔５５への入賞球を検出するカウントスイッチ５６の個数を少なくでき、引いては製造コストの削減化を図ることができる。
更に、大入賞口４０の上部には、開閉扉７２が上方に開口した場合に、パチンコ球を開閉扉７２の内側面に形成された各案内溝部８１Ａ〜８１Ｃ内に転動落下するように、チューリップ式役物３１Ａ及び大入賞口４０の上部に打設される複数の各釘４８が設けられているため（図２中、パチンコ球は各案内流路４９Ａ〜４９Ｆに沿って転動落下する。）、大入賞口４０が左右方向に大型化しても、開閉扉７２が開放された場合に、転動落下するパチンコ球をより確実に各案内溝部８１Ａ〜８１Ｃ上を経て大入賞口４０内の各入賞孔５５に案内でき、該大入賞口４０に入賞したパチンコ球の検出の迅速化を図ることができ、大入賞口４０内への余分なパチンコ球の入賞を防止することが可能となる。
【実施例３】
【００４１】
次に、第３実施形態に係るパチンコ機について図７に基づいて説明する。尚、以下の説明において上記図５及び図６の第２実施形態に係るパチンコ機の構成等と同一符号は、該第２実施形態に係るパチンコ機等の構成等と同一あるいは相当部分を示すものである。
第３実施形態に係るパチンコ機の概略構成及び制御回路構成は、第２実施形態に係るパチンコ機とほぼ同じ構成である。また、各種制御処理も第２実施形態に係るパチンコ機とほぼ同じ制御処理である。
但し、第３実施形態に係るパチンコ機は、特別入賞装置の構成が、上記第２実施形態のパチンコ機２に係る特別入賞装置７１と異なっている。
【００４２】
ここで、第３実施形態に係るパチンコ機の特別入賞装置について図７に基づいて説明する。
図７に示すように、第３実施形態に係るパチンコ機の特別入賞装置９１は、上記第２実施形態に係るパチンコ機の特別入賞装置７１とほぼ同じ構成であるが、上記大入賞口４０内の各入賞孔５５間に各凸部材９３、９４が設けられている。
この各凸部材９３、９４は、断面が外側方向（図７中、上側方向）に突出する略三角形の三角錐状で該大入賞口４０の底面部の前後幅方向に設けられている。また、各凸部材９３、９４の頂点は、開閉扉７２を閉じた場合に、該開閉扉７２の各案内リブ部７６、７７の底面部に対向するように形成されている。また、各凸部材９３、９４の各底面部は、大入賞口４０の奥側壁面部に達するように形成されている。また、各凸部材９３、９４の各底面部の外側方向（図７中、上側方向）高さ寸法は、約３ｍｍ〜１１ｍｍに形成されている。このため、各凸部材９３、９４の上面部は、各入賞孔５５方向及び前側方向へ前下がり状になるように形成されている。
一方、大入賞口４０の左右下側側端縁部には、断面略直角三角形の三角錐状の各斜面部９５が形成されている。また、各斜面部９５の頂点は、開閉扉７２を閉じた場合に、該開閉扉７２の各案内リブ部７５、７８の底面部に対向するように形成されている。また、各斜面部９５の各底面部は、大入賞口４０の奥側壁面部に達するように形成されている。また、各斜面部９５の各底面部の上側方向高さ寸法は、約３ｍｍ〜１１ｍｍに形成されている。このため、各斜面部９５の上面部は、各入賞孔５５方向及び前側方向へ前下がり状になるように形成されている。
【００４３】
ここで、各カウントスイッチ５６は、検出手段として機能する。また、チューリップ式役物３１Ａの側面部及び大入賞口４０の上部に打設される複数の各釘４８は、案内部材を構成する。
【００４４】
従って、第３実施形態に係るパチンコ機では、特別入賞装置９１の大入賞口４０の開口部に設けられて上方に開口される扉構造を有する開閉扉７２の内側面には、この内側面に乗ったパチンコ球を対向する各入賞孔５５へ案内するように形成される３列の各案内溝部８１Ａ〜８１Ｃが設けられている。これにより、大入賞口４０が左右方向に大型化して、該大入賞口４０の内側に３個の各入賞孔５５が設けられても、開閉扉７２上に転動落下したパチンコ球は、それぞれ各案内溝部８１Ａ〜８１Ｃに沿って転動し、該各案内溝部８１Ａ〜８１Ｃに対向する各入賞孔５５に案内されることから、パチンコ球の開閉扉７２上の落下位置から各入賞孔５５までの距離を短くすることができ、該大入賞口４０に入賞したパチンコ球の各カウントスイッチ５６による検出の迅速化を図ることができ、大入賞口４０内への余分な遊技球の入賞を防止することが可能となる。
また、大入賞口４０内の各入賞孔５５に入賞したパチンコ球を検出する各カウントスイッチ５６は、各入賞孔５５の流出側端面部に個別に設けられているため、該入賞孔５５へのパチンコ球の入賞を更に迅速に検出することができ、開閉扉７２をより的確に閉鎖して該大入賞口４０内への余分な遊技球の入賞を防止することが可能となる。
【００４５】
また、開閉扉７２の内側面に設けられた各案内溝部８１Ａ〜８１Ｃは、上方側が広く、下方側が狭くなると共に、各案内溝部８１Ａ〜８１Ｃの各側面部が内側方向に前下がり状に形成されて、パチンコ球を対向する各入賞孔５５の中心部へ案内するように構成されているため、該開閉扉７２上に転動落下したパチンコ球を該各案内溝部８１Ａ〜８１Ｃに対向する各入賞孔５５に確実に案内でき、大入賞口４０が左右方向に大型化しても、該大入賞口４０内の入賞孔５５の個数を少なくすることが可能となり、各入賞孔５５への入賞球を検出するカウントスイッチ５６の個数を少なくでき、引いては製造コストの削減化を図ることができる。
また、大入賞口４０内の各入賞孔５５間に所定高さの各凸部材９３、９４が立設されるため、各案内溝部８１Ａ〜８１Ｃを落下したパチンコ球は、該各凸部材９３、９４によって該各案内溝部８１Ａ〜８１Ｃに対向する各入賞孔５５に確実に案内されて、迅速に入賞し、該大入賞口４０に入賞したパチンコ球の検出の更なる迅速化を図ることができ、該大入賞口４０内への余分なパチンコ球の入賞を確実に防止することが可能となる。
【００４６】
また、各凸部材９３、９４及び各斜面部９５は、上面部が各入賞孔５５方向へ前下がり状になるように形成されているため、各凸部材９３、９４や各斜面部９５に当たったパチンコ球は、該各凸部材９３、９４や各斜面部９５の上面部に沿って各入賞孔５５に案内されるため、該大入賞口４０に入賞したパチンコ球の検出の更なる迅速化を図ることができる。
更に、大入賞口４０の上部には、開閉扉７２が上方に開口した場合に、パチンコ球を開閉扉７２の内側面に形成された各案内溝部８１Ａ〜８１Ｃ内に転動落下するように、チューリップ式役物３１Ａ及び大入賞口４０の上部に打設される複数の各釘４８が設けられているため（図２中、パチンコ球は各案内流路４９Ａ〜４９Ｆに沿って転動落下する。）、大入賞口４０が左右方向に大型化しても、開閉扉７２が開放された場合に、転動落下するパチンコ球をより確実に各案内溝部８１Ａ〜８１Ｃ上を経て大入賞口４０内の各入賞孔５５に案内でき、該大入賞口４０に入賞したパチンコ球の検出の迅速化を図ることができ、大入賞口４０内への余分なパチンコ球の入賞を防止することが可能となる。
【００４７】
尚、本発明は、上記第１実施形態乃至第３実施形態に限定されるものではなく、本発明の要旨を逸脱しない範囲内で種々の改良、変形が可能であることは勿論である。
例えば、上記第３実施形態では、特別入賞装置９１の開閉扉７２の内側面には、この内側面に乗ったパチンコ球を対向する各入賞孔５５へ案内するように形成される３列の各案内溝部８１Ａ〜８１Ｃが設けられているが、図８に示す特別入賞装置１０１のように、この開閉扉７２に替えて各案内溝部８１Ａ〜８１Ｃが形成されていない開閉扉１０２を大入賞口４０の開口部に設けた構成としてもよい。これにより、大入賞口４０内に転動落下したパチンコ球は、各凸部材９３、９４及び各斜面部９５によって各入賞孔５５に案内されるため、該大入賞口４０に入賞したパチンコ球の検出の迅速化を図ることができ、該大入賞口４０内への余分なパチンコ球の入賞を確実に防止することが可能となる。
【図面の簡単な説明】
【００４８】
【図１】第１実施形態に係るパチンコ機全体を示した正面図である。
【図２】第１実施形態に係るパチンコ機の遊技盤の遊技領域を示した正面図である。
【図３】第１実施形態に係るパチンコ機の特別入賞装置の開閉扉を開放した状態を示す斜視図である。
【図４】図３のＸ−Ｘ矢視断面図である。
【図５】第２実施形態に係るパチンコ機の特別入賞装置の開閉扉を開放した状態を示す斜視図である。
【図６】第２実施形態に係るパチンコ機の特別入賞装置を構成する開閉扉の平面図である。
【図７】第３実施形態に係るパチンコ機の特別入賞装置の開閉扉を開放した状態を示す斜視図である。
【図８】他の実施形態に係るパチンコ機の特別入賞装置の開閉扉を開放した状態を示す斜視図である。
【符号の説明】
【００４９】
１                                  パチンコ機
３１                                始動口
３１Ａ                              チューリップ式役物
３９、７２、１０２                  開閉扉
４０                                大入賞口
４１、７１、９１、１０１            特別入賞装置
４８                                釘
４９Ａ〜４９Ｆ                      案内流路
５１                                取付板
５２                                入賞球誘導部材
５３                                開口部
５５                                入賞孔
５６                                カウントスイッチ
６１Ａ〜６１Ｃ、８１Ａ〜８１Ｃ      案内溝部
７５、７６、７７、７８              案内リブ部
９３、９４                          凸部材
９５                                斜面部
【図１】
2005192893.tif 000003
【図２】
2005192893.tif 000004
【図３】
2005192893.tif 000005
【図４】
2005192893.tif 000006
【図５】
2005192893.tif 000007
【図６】
2005192893.tif 000008
【図７】
2005192893.tif 000009
【図８】
2005192893.tif 000010